(57)【要約】【課題】多種類の電子機器に用いることができ、しかも、電子機器を充電器に誤挿入することがなく、衝撃で電子機器が倒れることが防止されて確実に充電が行われる携帯用電子機器の充電器を提供する。【解決手段】上上方に開口した凹部３ｆにバッテリを収納した電子機器２を差込むことにより電子機器２の端子が充電器の充電端子４、４…と接続され上記バッテリを充電する充電器１において、前記凹部３ｆの底面を段差３ａを有する平面とし、前記段差３ａの厚みの底板部から立板部が直角に立ち上がる断面略Ｌ形状の押え部材５の前記立板部の上端の前記底板部が延びる方向の角に傾斜面を設け、前記押え部材５の底板部の先端を前記段差３ａと圧接するようにばね７、７で付勢して前記押え部材５を前記凹部３ｆに装着し、前記電子機器２を前記押え部材５の立板部と前記凹部３ｆの壁との間に前記ばね７、７の弾力に抗して差込むように構成した。【選択図】        図１
2006345667.tif 000002
【特許請求の範囲】
【請求項１】
上方に開口した凹部にバッテリを収納した電子機器を差込むことにより電子機器の端子が充電器の充電端子と接続され上記バッテリを充電する充電器において、前記凹部の底面を段差を有する平面とし、前記段差の厚みの底板部から立板部が直角に立ち上がる断面略Ｌ形状の押え部材の前記立板部の上端の前記底板部が延びる方向の角に傾斜面を設け、前記押え部材の底板部の先端を前記段差と圧接するようにばねで付勢して前記押え部材を前記凹部に装着し、前記電子機器を前記押え部材の立板部と前記凹部の壁との間に前記ばねの弾力に抗して差込むように構成した携帯用電子機器の充電器。
【請求項２】
前記電子機器の端子と充電器の充電端子とが前記ばねの弾力により圧接されるように構成した請求項１の携帯用電子機器の充電器。
【請求項３】
前記ばねが前記押え部材と取付部材とに固着されており、前記取付部材を充電器に設けられた縦方向の溝に差込むことにより前記押え部材が前記凹部に装着されるように構成した請求項１または２の携帯用電子機器の充電器。
【発明の詳細な説明】
【技術分野】
【０００１】
この発明は携帯用電子機器に係わり、特に、その充電器に関する。
【背景技術】
【０００２】
従来の携帯通信機用充電器の例を図５〜図７により説明する。図に示す９は充電器８のケースであり、携帯用通信機２を差込む凹部９ｄが設けられている。凹部９ｄの両側壁にはレール９ａ、９ａ（右側のレール９ａは図５で見えていない）が設けられ、後側側壁には充電端子４、４…が設けられている。
【０００３】
携帯用通信機２の溝２ａ、２ａ（左側の溝２ａは図５で見えていない）をケース９のレール９ａ、９ａと嵌合するようにして携帯用通信機２を凹部９ｄの正規の位置に底面まで差込むと、図６に示すように、携帯用通信機２の背面に設けられた端子２ｂ、２ｂ…が充電端子４、４…と接触して充電が行われる。図６に示す凹部９ｄの前側壁面９ｂが携帯用通信機２から離れるように、凹部９ｄが大きく形成されており、多種類の携帯用通信機に用いられるようにこの充電器８が作られている。
【０００４】
上記した充電器８では、凹部９ｄが大きく形成されているため、小型の携帯用通信機２を不用意に差込むと、図７に示すように、携帯用通信機２の溝が凹部９ｄのレール９ａから外れ携帯用通信機２の前面が凹部９ｄの前側壁面９ｂと接するようになる。この場合携帯用通信機２の端子２ｂが充電端子４と非接触となり充電できない。また、携帯用通信機２を正規に差込んで前側壁面９ｂと携帯用通信機２の前面が離れている場合衝撃が加わると携帯用通信機２が前側に倒れる恐れがあった。
【０００５】
図８に示す従来の充電器１０ではケース１１の凹部１１ｂが小さく形成されているので前側壁面１１ａが携帯用通信機２の前側に近接し、誤挿入がなくなり帯用通信機２の端子２ｂが充電端子４と非接触となることがなく、また、衝撃により携帯用通信機２が前に倒れることがなくなるが、携帯用通信機２のサイズが大きいと凹部１１ｂに入らず、携帯用通信機２のサイズが限定されるという欠点があった。
【０００６】
特開２００５−３９９１３号公報に提案された電子機器の充電器は通信機を差込む凹部が大きく形成されており、上記図５〜図７で説明した充電器と同様の欠点があった。
【特許文献１】特開２００５−３９９１３号公報、段落００１２、段落００１３、図１
【発明の開示】
【発明が解決しようとする課題】
【０００７】
この発明は上記した点に鑑みてなされたものであって、その目的とするところは、多種類の電子機器に用いることができ、しかも、電子機器を充電器に誤挿入することがなく、衝撃で電子機器が倒れることが防止されて確実に充電が行われる携帯用電子機器の充電器を提供することにある。
【課題を解決するための手段】
【０００８】
この発明の携帯用電子機器の充電器は、上方に開口した凹部にバッテリを収納した電子機器を差込むことにより電子機器の端子が充電器の充電端子と接続され上記バッテリを充電する充電器において、前記凹部の底面を段差を有する平面とし、前記段差の厚みの底板部から立板部が直角に立ち上がる断面略Ｌ形状の押え部材の前記立板部の上端の前記底板部が延びる方向の角に傾斜面を設け、前記押え部材の底板部の先端を前記段差と圧接するようにばねで付勢して前記押え部材を前記凹部に装着し、前記電子機器を前記押え部材の立板部と前記凹部の壁との間に前記ばねの弾力に抗して差込むように構成したものである。
【０００９】
また、前記携帯用電子機器の充電器において、前記電子機器の端子と充電器の充電端子とが前記ばねの弾力により圧接されるように構成したものである。
【００１０】
また、前記各携帯用電子機器の充電器において、前記ばねが前記押え部材と取付部材とに固着されており、前記取付部材を充電器に設けられた縦方向の溝に差込むことにより前記押え部材が前記凹部に装着されるように構成したものである。
【発明の効果】
【００１１】
この発明の携帯用電子機器の充電器によれば、多種類の電子機器に用いることができ、しかも、電子機器を充電器に誤挿入することがなく、衝撃で電子機器が倒れることが防止されて確実に充電が行われる。
【発明を実施するための最良の形態】
【００１２】
以下この発明を実施するための最良の形態を実施例に即して説明する。図１はこの発明の実施例である携帯用通信機の充電器を示す分解斜視図である。図に示す３は充電器１のケースであり、携帯用通信機２を差込む凹部３ｆが設けられている。凹部３ｆの両側壁にはレール３ｅ、３ｅ（右側のレール３ｅは図１で見えていない）が設けられ、後側側壁には充電端子４、４…が設けられている。
【００１３】
携帯用通信機２の溝２ａ、２ａ（左側の溝２ａは図１で見えていない）をケース３のレール３ｅ、３ｅと嵌合するようにして携帯用通信機２を凹部３ｆの正規の位置に差込むと、図３に示すように、携帯用通信機２の背面に設けられた端子２ｂ、２ｂ…が充電端子４、４…と接触して充電が行われる。
【００１４】
図２に示す凹部３ｆの前側壁面が携帯用通信機２から離れるように、凹部３ｆが大きく形成されており、多種類の携帯用通信機にこの充電器１が作られている。しかしながら、携帯用通信機２の誤挿入が防止されるように、図１に示す押え部材５が凹部３ｆに取付けられる。
【００１５】
図１に示すように押え部材５と取付金具６はばね７、７の両端と固着されており、これらの部材は一体となっている。そして、取付金具６をケース３に一体に形成されているＬ形突起３ｄ、３ｄとケース３壁面との間の縦方向の溝に差込むことにより押え部材５、取付金具６およびばね７、７がケース３に取付けられる。
【００１６】
このように装着された押え部材５の先端５ｂは凹部３ｆの下段面３ｂと上段面３ｃとの間の段差３ａと圧接状態となる。押え部材５の底板部の厚さは段差３ａの高さと同じであり、図２に示すように押え部材５の底板部と凹部３ｆの上段面３ｃとは同一平面を形成する。
【００１７】
押え部材５の上端には図２に示すように傾斜面５ａが設けられており、図２の下方向矢印に示すように携帯用通信機２を押し込むと、押え部材５は水平矢印方向の力Ｆを受けてＦ方向に後退する。そして、携帯用通信機２は図３に示す正規の位置に差込まれ携帯用通信機２の端子２ｂ、２ｂ…が充電端子４、４…と接触して充電が行われる。
【００１８】
図４に携帯用通信機２を正規でない場所に挿入しようとしたときの状態を示す。このときは携帯用通信機２の底面が押え部材５の上端と当接し、携帯用無線機は×印の下方向矢印の方向に入らず、また、押え部材５は×印の横方向矢印の方向に移動しない。このように携帯用通信機２が非正規の位置に挿入されることが防止される。
【００１９】
実施例の充電器１ではばね７、７により携帯用通信機２が押されているので、衝撃により携帯用無線機２が倒れることがなく、さらに、端子２ｂ、２ｂ…と充電端子４、４…との十分な接触圧が得られる。
【００２０】
しかしながら、携帯用通信機の重力が十分に大きければ、携帯用通信機の底面に端子２ｂ、２ｂ…を設け、充電端子４、４…を凹部３ｆの底面に設けても、端子２ｂ、２ｂ…と充電端子４、４…との十分な接触圧を得ることができこの発明の効果を奏する。
【００２１】
実施例の充電器１では一体の押え部材５、取付金具６、ばね７、７を差込むだけで、押え部材５を取付けることができ組み立て作業が極めて簡単である。
【００２２】
実施例は以上のように構成されているが発明はこれに限られず、例えば、取付金具６の代わりに樹脂成形品を用いてもよい。また、携帯用通信機以外のポータブルＣＤプレーヤ、ポータブルＭＤ機器等の充電器にこの発明を適用することも可能である。
【図面の簡単な説明】
【００２３】
【図１】この発明の実施例である携帯用通信機の充電器を示す分解斜視図である。
【図２】同充電器の使用状態を示す断面図である。
【図３】同充電器の他の使用状態を示す断面図である。
【図４】同充電器のさらに他の使用状態を示す断面図である。
【図５】従来の携帯用通信機の充電器の例を示す分解斜視図である。
【図６】同充電器の使用状態を示す図５におけるＡ−Ａ断面図である。
【図７】同充電器の他の使用状態を示す図５におけるＡ−Ａ断面図である。
【図８】従来の携帯用通信機の充電器の他の例を示す断面図である。
【符号の説明】
【００２４】
１  充電器
２  携帯用通信機、２ａ  溝、２ｂ  端子
３  ケース、３ａ  段差、３ｂ  下段面、３ｃ  上段面、３ｄ  Ｌ形突起
３ｅ  レール、３ｆ  凹部
４  充電端子
５  押え部材、５ａ  傾斜面、５ｂ  先端
６  取付金具
７  ばね
８  充電器
９  ケース、９ａ  レール、９ｂ  前側壁面、９ｄ  凹部
１０  充電器
１１  ケース、１１ａ  前側壁面、１１ｂ凹部
【図１】
2006345667.tif 000003
【図２】
2006345667.tif 000004
【図３】
2006345667.tif 000005
【図４】
2006345667.tif 000006
【図５】
2006345667.tif 000007
【図６】
2006345667.tif 000008
【図７】
2006345667.tif 000009
【図８】
2006345667.tif 000010